(57)【要約】【課題】容易に製造することができる物干し器を提供する。【解決手段】物干し器１におけるパイプ材からなるフレーム３に、複数個の貫通孔５がフレーム３の長さ方向に所定間隔をおいて配列されて設けられている。洗濯物保持具（ピンチ９）が取り付けられる複数個の取付け部７を長さ方向に複数個の貫通孔５に対応して所定間隔をおいて形成した剛性を有する線状部材６が、フレーム３の中空部４に挿入されている。そして、各取付け部７が貫通孔５からフレーム外側に突出している。【選択図】図２
2008264042.tif 000002
【特許請求の範囲】
【請求項１】
パイプ材からなるフレームに、複数個の貫通孔がフレームの長さ方向に所定間隔をおいて配列されて設けられ、
洗濯物保持具が取り付けられる複数個の取付け部を長さ方向に複数個の貫通孔に対応して所定間隔をおいて形成した剛性を有する線状部材が、フレームの中空部に挿入されるとともに、
各取付け部が貫通孔からフレーム外側に突出していることを特徴とする物干し器。
【請求項２】
線状部材は、剛性及び弾性を有するばね線材からなり、
各取付け部は、線状部材にその直径方向片側に突出するように局部的に屈曲して形成されており、
更に、各取付け部は、線状部材の弾性復元力により貫通孔からフレーム外側に突出する方向に付勢されている請求項１記載の物干し器。
【請求項３】
線状部材における複数個の取付け部の突出方向は同じであり、
線状部材の両端部に、取付け部の突出方向とは反対方向に突出するように折曲した折曲部が形成されている請求項２記載の物干し器。
【請求項４】
線状部材は、ばね鋼材からなる請求項１〜３のいずれかに記載の物干し器。
【請求項５】
帯板状のフレーム素材に、その長さ方向に所定間隔をおいて配列する複数個の貫通孔を、フレーム素材のフレーム内面となる面側からパンチング加工により穿設するパンチング加工工程と、
パンチング加工工程を経たフレーム素材を、電縫管溶接により、フレーム内面となる面を内側にしてパイプ状に形成してフレームを得る電縫管溶接工程と
電縫管溶接工程で得られたフレームについて、貫通孔の周縁にフレーム外側に突出状に生じたバリを除去するバリ取り工程と、
洗濯物保持具が取り付けられる複数個の取付け部を長さ方向に複数個の貫通孔に対応して所定間隔をおいて形成した剛性を有する線状部材を、バリ取り工程を経たフレームの中空部に挿入し、各取付け部を貫通孔からフレーム外側に突出させる挿入工程と、を含むことを特徴とする物干し器の製造方法。
【請求項６】
挿入工程で用いられる線状部材は、剛性及び弾性を有するばね線材からなり、各取付け部は、線状部材にその直径方向片側に突出するように局部的に屈曲して形成されており、且つ、線状部材における複数個の取付け部の突出方向は同じであり、更に、線状部材は、フレームの中空部に挿入される前の状態では、その長さ方向において取付け部の突出方向に凸の略円弧状に曲がっており、
挿入工程では、線状部材をその曲がり度合いが小さくなるようにフレームの中空部に挿入する請求項５記載の物干し器の製造方法。
【請求項７】
バリ取り工程では、フレームの外面を全周に亘って研磨することにより、バリを除去すると同時にフレームの溶接部の外面を滑らかにする請求項５又は６記載の物干し器の製造方法。
【発明の詳細な説明】
【技術分野】
【０００１】
本発明は、一般家庭等で使用される物干し器に関する。
【背景技術】
【０００２】
一般家庭等において洗濯物を干す際には、フレームに複数個の洗濯物保持具（ピンチ、ハンガー等）が吊下げ状態に備えられた物干し器が用いられる。このような物干し器には様々な構成のものがあり、例えば、特開２００５−２２４２７８号公報及び登録実用新案第３１０１９６９号公報に開示されたものが知られている（特許文献１及び２参照）。
【０００３】
これらの公報に開示された物干し器によれば、フレームには複数個の貫通孔が穿設されており、この各貫通孔にフレームの外側からピンチ取付け部材が挿入されて係止されるとともに、この各取付け部材にピンチが取り付けられている。
【特許文献１】特開２００５−２２４２７８号公報
【特許文献２】登録実用新案第３１０１９６９号公報
【発明の開示】
【発明が解決しようとする課題】
【０００４】
而して、上記従来の物干し器では、これを製造する際において、各貫通孔にフレームの外側からピンチ取付け部材を１個ずつ挿入して係止しなければならないため、物干し器の製造に要する時間が長くなり、その結果、製造コストが高くつくという難点があった。さらに、貫通孔に挿入係止されたピンチ取付け部材が挿入孔を中心に回転することがあるため、ピンチのピンチ取付け部への取付け作業が面倒であった。
【０００５】
本発明は、上述した技術背景に鑑みてなされたもので、その目的は、容易に製造することができる物干し器及びその製造方法を提供することにある。
【課題を解決するための手段】
【０００６】
本発明は以下の手段を提供する。
【０００７】
［１］  パイプ材からなるフレームに、複数個の貫通孔がフレームの長さ方向に所定間隔をおいて配列されて設けられ、
洗濯物保持具が取り付けられる複数個の取付け部を長さ方向に複数個の貫通孔に対応して所定間隔をおいて形成した剛性を有する線状部材が、フレームの中空部に挿入されるとともに、
各取付け部が貫通孔からフレーム外側に突出していることを特徴とする物干し器。
【０００８】
［２］  線状部材は、剛性及び弾性を有するばね線材からなり、
各取付け部は、線状部材にその直径方向片側に突出するように局部的に屈曲して形成されており、
更に、各取付け部は、線状部材の弾性復元力により貫通孔からフレーム外側に突出する方向に付勢されている前項１記載の物干し器。
【０００９】
［３］  線状部材における複数個の取付け部の突出方向は同じであり、
線状部材の両端部に、取付け部の突出方向とは反対方向に突出するように折曲した折曲部が形成されている前項２記載の物干し器。
【００１０】
［４］  線状部材は、ばね鋼材からなる前項１〜３のいずれかに記載の物干し器。
【００１１】
［５］  帯板状のフレーム素材に、その長さ方向に所定間隔をおいて配列する複数個の貫通孔を、フレーム素材のフレーム内面となる面側からパンチング加工により穿設するパンチング加工工程と、
パンチング加工工程を経たフレーム素材を、電縫管溶接により、フレーム内面となる面を内側にしてパイプ状に形成してフレームを得る電縫管溶接工程と
電縫管溶接工程で得られたフレームについて、貫通孔の周縁にフレーム外側に突出状に生じたバリを除去するバリ取り工程と、
洗濯物保持具が取り付けられる複数個の取付け部を長さ方向に複数個の貫通孔に対応して所定間隔をおいて形成した剛性を有する線状部材を、バリ取り工程を経たフレームの中空部に挿入し、各取付け部を貫通孔からフレーム外側に突出させる挿入工程と、を含むことを特徴とする物干し器の製造方法。
【００１２】
［６］  挿入工程で用いられる線状部材は、剛性及び弾性を有するばね線材からなり、各取付け部は、線状部材にその直径方向片側に突出するように局部的に屈曲して形成されており、且つ、線状部材における複数個の取付け部の突出方向は同じであり、更に、線状部材は、フレームの中空部に挿入される前の状態では、その長さ方向において取付け部の突出方向に凸の略円弧状に曲がっており、
挿入工程では、線状部材をその曲がり度合いが小さくなるようにフレームの中空部に挿入する前項５記載の物干し器の製造方法。
【００１３】
［７］  バリ取り工程では、フレームの外面を全周に亘って研磨することにより、バリを除去すると同時にフレームの溶接部の外面を滑らかにする前項５又は６記載の物干し器の製造方法。
【発明の効果】
【００１４】
本発明は以下の効果を奏する。
【００１５】
［１］の発明に係る物干し器では、洗濯物保持具が取り付けられる複数個の取付け部を長さ方向に複数個の貫通孔に対応して所定間隔をおいて形成した剛性を有する線状部材が、フレームの中空部に挿入されるとともに、各取付け部が貫通孔からフレーム外側に突出している。したがって、この物干し器によれば、これを製造する際において、線状部材をフレームの中空部に挿入して各取付け部を貫通孔からフレーム外側に突出させることにより、洗濯物保持具を取付け部に取り付けることができるようになるから、従来のように各貫通孔にピンチ取付け部材を１個ずつ挿入係止して物干し器を製造する場合に比べて、物干し器を容易に製造することができる。もとより、貫通孔から突出した取付け部は貫通孔を中心に回転しないので、洗濯物保持具の取付け部への取付け作業を容易に行うことができる。
【００１６】
［２］の発明では、各取付け部は、線状部材の弾性復元力により貫通孔からフレーム外側に突出する方向に付勢されているので、取付け部に洗濯物保持具を取り付ける際に取付け部が不本意に貫通孔からフレーム内側に没入することを防止でき、これにより、洗濯物保持具の取付け部への取付け作業を更に容易に行うことができる。
【００１７】
さらに、フレームの中空部に挿入された線状部材の取付け部を、線状部材の弾性復元力によって貫通孔からフレーム外側に容易に突出させることができる。
【００１８】
［３］の発明では、線状部材の両端部に、取付け部の突出方向とは反対方向に突出するように折曲した折曲部が形成されているので、各取付け部を貫通孔からフレーム外側に突出する方向に確実に付勢することができる。
【００１９】
［４］の発明では、線状部材はばね鋼材からなるので、線状部材を安価に入手できるし、更に、長期間に亘って線状部材の弾性復元力を維持することができる。
【００２０】
［５］の発明では、上記［１］〜［４］のいずれかの発明に係る物干し器を確実に製造することができる。
【００２１】
さらに、［５］の発明は次の効果を奏する。すなわち、もし仮に、予めパイプ状に形成されたフレームにその外面側からパンチング加工により貫通孔を形成する場合には、貫通孔の周縁にバリがフレーム内側に突出状に生じる。そのため、線状部材をフレームの中空部に挿入する際に線状部材がバリに干渉し、線状部材の挿入が困難になるし、更に、線状部材の取付け部を貫通孔からフレーム外側に突出させる際にも取付け部がバリに干渉し、取付け部を突出させるのが困難になる。また、このような難点を解消するためバリを除去しようとしても、バリはフレーム内側に突出状に生じているので、バリ取り作業が非常に困難である。
【００２２】
これに対して、［５］の発明によれば、パンチング加工工程において、帯板状のフレーム素材に、所定の貫通孔を、フレーム素材のフレーム内面となる面側からパンチング加工により穿設し、次いで、電縫管溶接工程において、このフレーム素材をフレーム内面となる面を内側にしてパイプ状に形成することにより、貫通孔の周縁にバリがフレーム外側に突出状に生じることとなる。そのため、バリ取り工程において、パリを容易に除去することができる。もとより、バリはフレーム内側に突出状に生じていないので、線状部材をフレームの中空部に容易に挿入することができるし、更に、線状部材の取付け部を貫通孔からフレーム外側に容易に突出させることができる。
【００２３】
［６］の発明では、線状部材は、フレームの中空部に挿入される前の状態では、その長さ方向において取付け部の突出方向に凸の略円弧状に曲がっており、挿入工程において、線状部材をその曲がり具合いが小さくなるようにフレームの中空部に挿入することにより、線状部材には取付け部を突出させる方向の弾性復元力が蓄積される。そのため、取付け部を突出方向に確実に付勢することができる。
【００２４】
［７］の発明では、バリ取り工程では、フレームの外面を全周に亘って研磨することにより、バリを除去すると同時にフレームの溶接部の外面を滑らかにするので、フレームの外面を所定の表面粗さに仕上げ研磨することができる上、更に、この研磨加工とバリを除去する加工と溶接部の外面を滑らかにする加工とを一括して同時に行うことができる。これにより、物干し器の製造に要する時間を更に短縮することができる。
【発明を実施するための最良の形態】
【００２５】
次に、本発明の一実施形態について図面を参照して以下に説明する。
【００２６】
図１において、（１）は本発明の一実施形態に係る物干し器である。この物干し器（１）は、水平状に配置される平面視ロ字状のフレーム本体（２）と、該フレーム本体（２）に接続されるとともに物干し竿等の所定場所に吊り掛けるフック（１０）と、洗濯物保持具として複数個のピンチ（９）とを備えている。
【００２７】
フレーム本体（２）は、その左右方向中間部から二つに折り畳むことができるように構成されており、左右一対の平面視コ字状のフレーム（３）（３）を有している。左右両フレーム（３）（３）は互いに同一構成である。各フレーム（３）は、３個の真直部（３ａ）（３ａ）（３ａ）と、互いに隣り合う２個の真直部（３ａ）（３ａ）間に形成された円弧状の屈曲部（３ｂ）とを有している。
【００２８】
フレーム（３）は、図２及び図３に示すように、ステンレス鋼等の金属製の断面円形状パイプ材（即ち丸パイプ材）からなり、詳述すると電縫管からなるものである。そして、フレーム（３）がコ字状に屈曲している。
【００２９】
フレーム（３）の各真直部（３ａ）の下部には、複数個（本実施形態では４個）の貫通孔（５）がフレーム（３）の長さ方向に所定間隔をおいて配列されて設けられている。貫通孔（５）はフレーム（３）の長さ方向に延びた長孔からなる。
【００３０】
また、このフレーム（３）の各真直部（３ａ）の中空部（４）には、線状部材（６）がフレーム（３）の長さ方向に沿って挿入されている。なお、フレーム（３）の各屈曲部（３ｂ）の中空部（４）には線状部材は挿入されていない。
【００３１】
線状部材（６）は、剛性及び弾性を有する断面円形状のばね線材からなるものであり、詳述すると線状のばね鋼材からなるものである。さらに、図２に示すように、この線状部材（６）には、ピンチ（９）が取り付けられる複数個の取付け部（７）が、線状部材（６）の長さ方向にフレーム（３）の真直部（３ａ）の複数個の貫通孔（５）に対応して所定間隔をおいて形成されている。
【００３２】
各取付け部（７）は、線状部材（６）にその直径方向片側に突出するように局部的にＵ字状に屈曲して形成されている。さらに、線状部材（６）に対するこれら取付け部（７）の突出方向は同じであり、具体的には下方向である。
【００３３】
さらに、線状部材（６）の両端部には、取付け部（７）の突出方向とは反対方向（即ち上方向）に突出するように折曲した折曲部（８）（８）が形成されている。
【００３４】
そして、線状部材（６）がフレーム（３）の真直部（３ａ）の中空部（４）に挿入された状態において、線状部材（６）の各取付け部（７）は、対応する貫通孔（５）からフレーム外側に突出している。各取付け部（７）の突出方向は下方向である。さらに、この状態において、線状部材（６）の両端部の折曲部（８）（８）の先端は、線状部材（６）の弾性復元力により、フレーム（３）の真直部（３ａ）の内面における貫通孔（５）側とは反対側の部分（即ち上側の部分）を押圧している。さらに、線状部材（６）の各取付け部（７）は、線状部材（６）の弾性復元力により貫通孔（５）からフレーム外側に突出する方向（即ち下方向）に付勢されている。
【００３５】
そして、各取付け部（７）にピンチ（９）がピンチ吊下げ部材（９ａ）を介して吊下げ状態に取り付けられている。すなわち、ピンチ（９）にはピンチ吊下げ部材（９ａ）の下端部が接続されており、図３に示すように、このピンチ吊下げ部材（９ａ）の上端部にフック部が一体形成されるとともに、該フック部を取付け部（７）に係止することにより、ピンチ（９）が取付け部（７）に取り付けられている。
【００３６】
次に、本実施形態の物干し器（１）の製造方法について以下に説明する。
【００３７】
図４に示すように、長尺な帯板状のフレーム素材（１２）を準備する。そして、このフレーム素材（１２）に、その長さ方向に所定間隔をおいて配列する複数個の貫通孔（５）を、フレーム素材（１２）のフレーム内面となる面（１２ａ）側からパンチング加工により穿設する（即ち打ち抜く）［パンチング加工工程］。これにより、フレーム素材（１２）の各貫通孔（５）の周縁には、小さなバリ（５ａ）が、フレーム内面となる面（１２ａ）側とは反対の面（１２ｂ）側、即ちフレーム外面となる面側に突出状に生じる。なお同図では、バリ（５ａ）を誇張して図示している。貫通孔（５）の長さ及び幅は、それぞれ線状部材（６）の長さ方向における取付け部（７）の長さ及び幅に対応している。
【００３８】
次いで、このフレーム素材（１２）を、電縫管溶接により、フレーム内面となる面（１２ａ）を内側にして丸パイプ状に形成することで真直なフレーム（３）を得る［電縫管溶接工程］。なお、電縫管溶接は、市販されている公知のバットシーム溶接機などの電縫管溶接装置を用いることにより、容易に行うことができる。また、同図において、（１３）は、フレーム（３）の電縫管溶接による溶接部である。この溶接部（１３）の外面には微細な凹凸部（図示せず）が生じている。
【００３９】
次いで、このフレーム（３）の外面（１２ｂ）を全周及び全長に亘って即ちフレーム（３）の外面全体を例えばバフ研磨加工により略鏡面状態に仕上げ研磨する。これにより、貫通孔（５）の周縁のバリ（５ａ）を除去すると同時にフレーム（３）の溶接部（１３）の外面を滑らかにする［バリ取り工程］。
【００４０】
次いで、図５に示すように、予め準備しておいた所定形状の複数個（本実施形態では３個）の線状部材（６）を、このフレーム（３）の中空部（４）にその端部開口から順次挿入し、各線状部材（６）の各取付け部（７）を線状部材（６）の弾性復元力によってフレーム（３）の対応する貫通孔（５）からフレーム外側に突出させる［挿入工程］。
【００４１】
ここで、この挿入工程で用いられる線状部材（６）の各取付け部（７）は、上述したように、線状部材（６）にその直径方向片側に突出するように局部的にＵ字状に屈曲して形成されており、且つ、複数個の取付け部（７）の突出方向は同じである。さらに、線状部材（６）の両端部には、取付け部（７）の突出方向とは反対方向に突出するように折曲した折曲部（８）が形成されている。さらに、線状部材（６）は、フレーム（３）の中空部（４）に挿入される前の状態では、その長さ方向において取付け部（７）の突出方向に凸の円弧状に曲がっており、本実施形態では、線状部材（６）はその長さ方向全領域に亘って取付け部（７）の突出方向に凸の円弧状に曲がっている。そして、挿入工程において、この線状部材（６）をその曲がり度合いが小さくなるようにフレーム（３）の中空部（４）に挿入する。これにより、線状部材（６）には各取付け部（７）を所定方向に突出させる弾性復元力が蓄積される。すなわち、線状部材（６）がフレーム（３）の中空部（４）に挿入された状態では、線状部材（６）の曲がり度合いは、線状部材（６）がフレーム（３）の中空部（４）に挿入される前の状態よりも小さくなっており、更に、線状部材（６）の両端部の折曲部（８）（８）の先端がフレーム（３）の内面における貫通孔（５）側とは反対側の部分を常時押圧している。そのため、各取付け部（７）は、線状部材（６）がフレーム（３）の中空部（４）に挿入されることで線状部材（６）に蓄積された弾性復元力により、貫通孔（５）からフレーム外側に突出する方向に付勢されている。
【００４２】
次いで、このフレーム（３）をコ字状に屈曲させるとともに、各取付け部（７）にピンチ（９）をピンチ吊下げ部材（９ａ）を介して取り付ける。
【００４３】
その後、このフレーム（３）を用いて図１に示した所望する物干し器（１）を組立製作する。
【００４４】
而して、本実施形態の物干し器（１）は次の利点がある。
【００４５】
すなわち、この物干し器（１）においては、複数個の取付け部（７）を長さ方向にフレーム（３）の各真直部（３ａ）の複数個の貫通孔（５）に対応して所定間隔をおいて形成した剛性を有する線状部材（６）が、フレーム（３）の真直部（３ａ）の中空部（４）に挿入されるとともに、各取付け部（７）が貫通孔（５）からフレーム外側に突出している。したがって、この物干し器（１）によれば、これを製造する際において、線状部材（６）をフレーム（３）の真直部（３ａ）の中空部（４）に挿入して各取付け部（７）を貫通孔（５）からフレーム外側に突出させることにより、ピンチ（９）を取付け部（７）に取り付けることができるようになるから、従来のように各貫通孔（５）にピンチ取付け部材を１個ずつ挿入係止して物干し器を製造する場合に比べて、物干し器（１）を容易に製造することができ、もって物干し器（１）の製造コストを引き下げることができる。もとより、貫通孔（５）から突出した取付け部（７）は貫通孔（５）を中心に回転しないので、ピンチ（９）の取付け部（７）への取付け作業を容易に行うことができる。
【００４６】
さらに、各取付け部（７）は、線状部材（６）の弾性復元力により貫通孔（５）からフレーム外側に突出する方向に付勢されているので、取付け部（７）にピンチ（９）を取り付ける際に取付け部（７）が不本意に貫通孔（５）からフレーム内側に没入することを防止でき、これにより、ピンチ（９）の取付け部（７）への取付け作業を更に容易に行うことができる。
【００４７】
さらに、フレーム（３）の真直部（３ａ）の中空部（４）に挿入された線状部材（６）の取付け部（７）を、線状部材（６）の弾性復元力によって貫通孔（５）からフレーム外側に容易に突出させることができる。
【００４８】
さらに、線状部材（６）の両端部に、取付け部（７）の突出方向とは反対方向に突出するように折曲した折曲部（８）（８）が形成されているので、各取付け部（７）を貫通孔（５）からフレーム外側に突出する方向に確実に付勢することができる。
【００４９】
さらに、線状部材（６）はばね鋼材からなるので、線状部材（６）を安価に入手できるし、更に、長期間に亘って線状部材（６）の弾性復元力を維持することができる。
【００５０】
また、本実施形態の物干し器（１）の製造方法は次の利点がある。
【００５１】
すなわち、もし仮に、予めパイプ状に形成されたフレーム（３）にその外面側からパンチング加工により貫通孔（５）を形成する場合には、貫通孔（５）の周縁にバリ（５ａ）がフレーム内側に突出状に生じる。そのため、線状部材（６）をフレーム（３）の中空部（４）に挿入する際に線状部材（６）がバリ（５ａ）に干渉し、線状部材（６）の挿入が困難になるし、更に、線状部材（６）の取付け部（７）を貫通孔（５）からフレーム外側に突出させる際にも取付け部（７）がバリ（５ａ）に干渉し、取付け部（７）を突出させるのが困難になる。また、このような難点を解消するためバリ（５ａ）を除去しようとしても、バリ（５ａ）はフレーム内側に突出状に生じているので、バリ取り作業が非常に困難である。
【００５２】
これに対して、本実施形態の物干し器（１）の製造方法によれば、パンチング加工工程において、帯板状のフレーム素材（１２）に、所定の貫通孔（５）を、フレーム素材（１２）のフレーム内面となる面（１２ａ）側からパンチング加工により穿設し、次いで、電縫管溶接工程において、このフレーム素材（１２）をフレーム内面となる面（１２ａ）を内側にしてパイプ状に形成することにより、貫通孔（５）の周縁にバリ（５ａ）がフレーム外側に突出状に生じることとなる。そのため、バリ取り工程において、パリ（５ａ）を容易に除去することができる。もとより、バリ（５ａ）はフレーム内側に突出状に生じていないので、線状部材（６）をフレーム（３）の中空部（４）に容易に挿入することができるし、更に、線状部材（６）の取付け部（７）を貫通孔（５）からフレーム外側に容易に突出させることができる。
【００５３】
さらに、線状部材（６）は、フレーム（３）の中空部（４）に挿入される前の状態では、その長さ方向において取付け部（７）の突出方向に凸の略円弧状に曲がっており、挿入工程において、線状部材（６）をその曲がり具合が小さくなるようにフレーム（３）の中空部（４）に挿入することにより、線状部材（６）には取付け部（７）を突出させる方向の弾性復元力が蓄積される。そのため、取付け部（７）を突出方向に確実に付勢することができる。
【００５４】
さらに、バリ取り工程では、フレーム（３）の外面（１２ｂ）を全周に亘って研磨することにより、バリ（５ａ）を除去すると同時にフレーム（３）の溶接部（１３）の外面を滑らかにするので、フレーム（３）の外面（１２ｂ）を所定の表面粗さに仕上げ研磨することができる上、更に、この研磨加工とバリ（５ａ）を除去する加工と溶接部（１３）の外面を滑らかにする加工とを一括して同時に行うことができる。これにより、物干し器（１）の製造に要する時間を更に短縮することができる。
【００５５】
以上で本発明の一実施形態について説明したが、本発明は上記実施形態に示したものであることに限定されるものではなく、様々に変更可能である。
【００５６】
例えば、上記実施形態では、線状部材（６）の取付け部（７）には洗濯物保持具としてピンチ（９）が取り付けられるものであるが、本発明では、その他に、例えば洗濯物保持具としてハンガーが取り付けられるものであっても良いし、その他の洗濯物保持具が取り付けられるものであっても良い。
【００５７】
また、上記実施形態では、線状部材（６）の取付け部（７）の形状はＵ字状であるが、本発明では、その他に、Ｖ字状、Ω字状、円弧状等であっても良く、取付け部（７）の形状に限定されるものではない。
【００５８】
また、上記実施形態では、線状部材（６）はばね鋼材からなるものであるが、本発明では、その他に、例えばプラスチックからなるものであっても良く、線状部材（６）の材質に限定されるものではない。
【００５９】
また本発明は、フレーム（３）の形状に限定されるものではなく、コ字状やロ字状の他に例えば円形状であっても良い。
【産業上の利用可能性】
【００６０】
本発明は、一般家庭等で使用される物干し器及びその製造方法に利用可能である。
【図面の簡単な説明】
【００６１】
【図１】図１は、本発明の一実施形態に係る物干し器の斜視図である。
【図２】図２は、同物干し器のフレームの断面図である。
【図３】図３は、図２中のＸ−Ｘ線断面図である。
【図４】図４は、フレーム素材からフレームを形成する工程を示す斜視図である。
【図５】図５は、フレームの中空部に線状部材を挿入する前の状態を示す図である。
【符号の説明】
【００６２】
１…物干し器
３…フレーム
４…中空部
５…貫通孔
５ａ…バリ
６…線状部材
７…取付け部
８…折曲部
９…ピンチ（洗濯物保持具）
１２…フレーム素材
１２ａ…フレーム素材のフレーム内面となる面
１２ｂ…フレーム素材のフレーム外面となる面
１３…溶接部
【図１】
2008264042.tif 000003
【図２】
2008264042.tif 000004
【図３】
2008264042.tif 000005
【図４】
2008264042.tif 000006
【図５】
2008264042.tif 000007